(57)【要約】      （修正有）【課題】直流電源を検出して提供できる、インテリジェント椅子を提供する。【解決手段】座体１１を含むインテリジェント椅子１であって、該座体は該座体に取り付けられる電源供給器１３を含み、このうち該電源供給器は電圧検出ユニットおよび電圧調整ユニットと電気的に接続され、該電圧検出ユニットは負荷信号を検出し、該電圧調整ユニットが該負荷信号に基づいて直流電圧を調整して出力し；該インテリジェント椅子は該電源供給器と連結する少なくとも１つのコンセント１３７をさらに含み、該座体は座面１１１と、該座面と接続する背もたれ１１２と、該座面と接続する２つの肘掛け１１３とを含み、該コンセントは該座面、該背もたれまたは２つのうち１つの該肘掛け内に選択的に設置され、該コンセントは回路基板と、該回路基板と電気的に接続する複数のポートとを含む。【選択図】図１
0003222993.tif 000002
【実用新案登録請求の範囲】
【請求項１】
座体を含むインテリジェント椅子であって、該座体は該座体に取り付けられる電源供給器を含み、このうち該電源供給器は電圧検出ユニットおよび電圧調整ユニットと電気的に接続され、該電圧検出ユニットは負荷信号を検出し、該電圧調整ユニットが該負荷信号に基づいて直流電圧を調整して出力し；該インテリジェント椅子は該電源供給器と連結する少なくとも１つのコンセントをさらに含み、該座体は座面と、該座面と接続する背もたれと、該座面と接続する２つの肘掛けとを含み、該コンセントは該座面、該背もたれまたは２つのうち１つの該肘掛け内に選択的に設置することができ、該コンセントは回路基板と、該回路基板と電気的に接続する複数のポートとを含むインテリジェント椅子。
【請求項２】
該電源供給器内に、該電圧検出ユニットおよび該電圧調整ユニットとそれぞれ接続する制御ユニットをさらに含み、該制御ユニットは該負荷信号を識別して、該電圧調整ユニットが必要な該直流電圧を出力するように制御する、請求項１に記載のインテリジェント椅子。
【請求項３】
該コンセントがコネクタコンセントである、請求項１に記載のインテリジェント椅子。
【請求項４】
該座体は該電源供給器に電力を提供する電源保存ユニットをさらに含み、該電源保存ユニットは該座体の底面に選択的に設置することができ、該電源保存ユニットはリチウム電池、蓄電池またはリチウムイオン電池である、請求項１に記載のインテリジェント椅子。
【請求項５】
該直流電圧が５ボルト以上である、請求項１に記載のインテリジェント椅子。
【請求項６】
該座体は、該電源供給器と外部接続する伝送線および電源コードをさらに含み、該伝送線の一端はさらにプラグと接続される、請求項１に記載のインテリジェント椅子。
【請求項７】
該プラグがコネクタプラグである、請求項６に記載のインテリジェント椅子。
【請求項８】
該座面に少なくとも１つの椅子の脚がさらに接続され、該椅子の脚は該座面の底面を支持して接続される、請求項１に記載のインテリジェント椅子。
【請求項９】
該電源供給器と電気的に接続する少なくとも１つの直流電源コンセントおよび少なくとも１つの交流電源コンセントをさらに含み、該直流電源コンセントおよび該交流電源コンセントは該椅子の脚の表面に同列に並べるか、または分離して嵌設することができる、請求項８に記載のインテリジェント椅子。
【請求項１０】
該電源供給器と電気的に接続する無線充電モジュールをさらに含み、該無線充電モジュールは該座面に嵌設される、請求項１に記載のインテリジェント椅子。
【考案の詳細な説明】
【技術分野】
【０００１】
本考案はインテリジェント椅子に関し、特に直流電源を検出して提供することができるインテリジェント椅子を指す。
【背景技術】
【０００２】
科学技術の進歩およびインターネットの発達、ならびに各種電子機器、例えばスマートフォン、タブレットＰＣ、カメラまたはウェアラブルデバイスなどの装置が登場するのに伴い、人々の生活水準は上昇し、相当便利になっている。上記電子機器を持って外に出かけ、電子機器の電力を使い果たしてしまったが、重要な仕事を処理する必要があるとき、急いで充電できる場所を探すか、またはモバイルバッテリーを購入して解決する必要がある。しかしながら、現在、大衆に無料で充電を提供する臨時の充電スペースがすでに多くあり、例えば行政機関、台北メトロの駅、バス停または観光地などである。上記電子機器の電力を使い果たす問題を心配する必要はもうなく、さらにはモバイルバッテリーを持ち歩く必要がない可能性もある。
【０００３】
既存の臨時の充電スペースは、多くが縦型の台であり、これにいくつかのコンセントおよび各種接続の伝送線などが設けられ、有線または無線の方式で充電を行うが、臨時の充電スペースは椅子を有していないため、人々は立ったりしゃがんだりして仕事を処理しており、設計において依然として不足を有する。したがって、ある業者は充電機能を有する椅子、休憩、レジャーまたはビジネスの概念を組み合わせた多機能椅子を開発した。しかしながら、上記多機能椅子は各種電子機器に適用することができず、特に、依然として交流を直流に変換するアダプタ（ａｄａｐｔｏｒ）およびその伝送線を追加で準備して充電を行う必要がある。さらに、前記椅子は電圧検出機能を有さず、適した電圧および電流を対応して提供することはない。
【考案の概要】
【考案が解決しようとする課題】
【０００４】
本考案の目的の１つは、休憩、レジャーまたはビジネスの概念を組み合わせることができ、適した直流電圧を自動的に検出し、出力することができるインテリジェント椅子を提供することにある。
【課題を解決するための手段】
【０００５】
上記目的を達成するため、本考案は、座体を含むインテリジェント椅子を提供する。該座体は該座体に取り付けられる電源供給器を含み、このうち該電源供給器は電源検出ユニットおよび電圧調整ユニットと電気的に接続され、該電圧検出ユニットは負荷信号を検出し、該電圧調整ユニットが該負荷信号に基づいて直流電圧を調整して出力する。該インテリジェント椅子は、該電源供給器と連結する少なくとも１つのコンセントをさらに含む。該座体は座面と、該座面と接続する背もたれと、該座面と接続する２つの肘掛けとを含み、該コンセントは該座面、該背もたれまたは２つのうち１つの該肘掛け内に選択的に設置することができる。該コンセントは回路基板と、該回路基板と電気的に接続する複数のポートとを含む。
【０００６】
本考案はさらに以下の効果を有する。本考案の電源供給器は、電圧検出ユニット、電圧調整ユニットおよび制御ユニットを含む。電圧検出ユニットは、接続した負荷に基づいて負荷信号を生成することができ、制御ユニットは電圧調整ユニットが入力電圧の変動の影響、または負荷電圧の変化の影響を受けず、直流電圧を該負荷に対応し、安定して出力することができるように制御する。電圧調整ユニットは、例えば直流電圧を安定して出力するまで交流電源を変圧、整流、ろ波、電源調整する機能を有する。したがって電源供給器は、適した各種直流電圧を提供することができ、交流を直流に変換する追加のアダプタを使用する必要はなく、充電は急速で、安定し、便利である。
【図面の簡単な説明】
【０００７】
【図１】図１は、本考案のインテリジェント椅子における立体概要図である。
【図２】図２は、本考案のインテリジェント椅子における別の角度の立体概要図である。
【図３】図３は、本考案のインテリジェント椅子における電源供給器の回路ブロック図である。
【考案を実施するための形態】
【０００８】
本考案に関する詳細な説明および技術内容について、図を組み合わせて以下のように説明する。しかし、図は参考および説明用に提供したに過ぎず、本考案を制限するものではない。
【０００９】
図１から図３に示すように、本考案は、座体１１を含むインテリジェント椅子１を提供する。ここで示す座体１１は、好ましくは座面１１１と、座面１１１と接続する背もたれ１１２と、座面１１１と接続する２つの肘掛け１１３と、座面の底面を支持して接続される少なくとも１つの椅子の脚１１４とを含む。しかしながらその他の異なる実施例において、座体１１はベンチ、ソファまたはその他の形態の椅子でもよく、限定されない。以下、本考案のインテリジェント椅子１の詳細な構造をさらに説明する。
【００１０】
座体１１は、座体１１に取り付けられる電源供給器１３を含む。本実施例の電源供給器１３が提供する直流電圧は、既存の交流電源のいわゆるピーク値、力率、周波数差、高調波障害などの要素の影響を受けない。したがって、直流電圧は交流電源と比較して、より安定性を有し、コストは低く、保存が容易な特性を兼ね備え、充電速度をより速くし、効率をより高める。
【００１１】
図に示すように、電源供給器１３は電圧検出ユニット１３１および電圧調整ユニット１３２と電気的に接続される。電圧検出ユニット１３１は負荷信号１４を検出し、電圧調整ユニット１３２が負荷信号１４に基づき直流電圧（図示せず）を調整して出力する。図３に示す実施例において、電源供給器１３内に、電圧検出ユニット１３１および電圧調整ユニット１３２とそれぞれ接続する制御ユニット１３３をさらに含む。制御ユニット１３３は負荷信号１４を識別して、電圧調整ユニット１３２が必要な該直流電圧を出力するように制御する。
【００１２】
具体的に、ある負荷２が電源供給器１３と電気的に接続するとき、電圧検出ユニット１３１は該負荷信号１４を検出して制御ユニット１３３に伝達し、制御ユニット１３３は該負荷信号１４に基づいて、電圧調整ユニット１３２の調整により、対応する該直流電圧を該負荷２に出力するように同時に制御する。もう１つの具体的な実施例において、電圧検出ユニット１３１が接続した負荷２の該負荷信号１４、例えば電気抵抗または電流（信号）の変化を検出したとき、制御ユニット１３３は電圧調整ユニット１３２が入力電圧の変動の影響、または負荷電圧の変化の影響を受けず、直流電圧を該負荷２に対応し、安定して出力することができるように制御する。ここで記載する該直流電圧は５ボルト以上、例えば９ボルト、１２ボルト、２０ボルトまたはその他の適した電圧値でよく、限定されない。負荷２はスマートフォン、タブレットＰＣ、カメラまたはウェアラブルデバイスなどの電子機器を含むが、これに限定されない。
【００１３】
このほか、座体１１は、電源供給器１３に電力を提供する電源保存ユニット１５と、電源供給器１３と外部接続される伝送線１３４と、電源供給器１３と連結する少なくとも１つのコンセント１３７とをさらに含み、このうち伝送線１３４の一端はさらにプラグ１３６と接続される。このほか、電源供給器１３は外部接続の電源コード１３５を介して商用電源と接続され、これにより電力を提供する。
【００１４】
電源保存ユニット１５は座体１１の底面に選択的に設置することができ、図１および図２に示す実施例において、電源保存ユニット１５は、好ましくは座面１１１の底面に設置される。しかしながら、その他の異なる実施例において、座面１１１内、椅子の脚１１４またはその他の適した位置に設置することもでき、限定されない。コンセント１３７は、好ましくは座体１１の表面に設置されて露出し、図１に示す実施例において、コンセント１３７は肘掛け１１３の前表面に設置される。これにより人々は快適に座って負荷２に充電することができ、人にやさしい多くの用途を達成する。また、図２に示す実施例において、コンセント１３７は背もたれ１１２の背面に設置することもできる。例えば飛行機の座席であり、これにより後部座席の旅客が差し込んで充電し、使用するのに便利である。
【００１５】
本実施例に記載のプラグ１３６は、好ましくはコネクタプラグで、例えばＵＳＢプラグ、Ｌｉｇｈｔｉｎｇプラグまたはその他の適したプラグである。コンセント１３７は、好ましくはコネクタコンセントで、例えばＵＳＢコンセント、Ｌｉｇｈｔｉｎｇコンセントまたはその他の適したコンセントであり、これは回路基板１３７１と、回路基板１３７１と電気的に接続する複数のポート１３７２とを含む。電源保存ユニット１５は使い捨てのリチウム電池、あるいは繰り返し充電して使用することができる蓄電池またはリチウム電池でよく、限定されない。電源保存ユニット１５がどの種の電池であるかに関わらず、電源供給器１３の電圧調整ユニット１３２は、提供する電源を直流電源に変換することができ、充電して使用するのに都合がよい。
【００１６】
説明すべきこととして、電源検出ユニット１３１、電圧調整ユニット１３２および制御ユニット１３３は、好ましくは電源供給器１３内に内蔵される。しかしながら、その他の異なる実施例において、電圧調整ユニット１３２は電線（図示せず）で分離可能に電源供給器１３と接続する必要があると判断することもできる。図１および図２に示す実施例において、電源供給器１３は座面１１１、背もたれ１１２または２つのうち１つの肘掛け１１３内に選択的に嵌設することができ、限定されない。したがって、本実施例のインテリジェント椅子１は休憩、レジャーまたはビジネスの概念を組み合わせることができ、例えば行政機関、台北メトロの駅、バス停、電車中、飛行機中または観光地に設置される椅子、さらには事務用椅子であり、人々の負荷２に充電すること、および多元化の効果を同時に提供する。
【００１７】
さらに、本実施例は、電源供給器１３と電気的に接続する少なくとも１つの直流電源コンセント１６と、少なくとも１つの交流電源コンセント１７とをさらに含み、その他の直流電圧を必要とするその他の電子機器、またはその他の交流電圧を必要とする家電設備の使用にそれぞれ提供される。図１および図２に示す実施例において、直流電源コンセント１６および交流電源コンセント１７は同列に並べるか、または分離して椅子の脚１１４の表面に嵌設することができる。家電設備を交流電源コンセント１７に差し込んだとき、直接電源保存ユニット１５から電力供給するか、または電源供給器１３と連結する、その内部の制御ユニット１３３が圧力安定化／圧力保持などを行ってから、前記家電設備に電力供給することができる。
【００１８】
負荷２（各種の電子機器）を無線で充電し使用するのを便利にするため、本実施例は電源供給器１３と電気的に接続する無線充電モジュール１８をさらに含み、過度に多い伝送線１３４を接続して、全線の収納の問題に派生するのを防止する。図１および図２に示す無線充電モジュール１８は、座体１１の座面１１１内に嵌設することができ、電源供給器１３の電力を受けると、無線充電モジュールに隣接する座面１１１上方に充電領域（明示せず）を形成する。電磁共振の原理により無線発電を生成し、さらには前記負荷２（各種の電子機器）に提供して無線充電を行う。
【００１９】
本実施例のインテリジェント椅子１に関連する各種インテリジェント機能、例えば直流電源コンセント１６、交流電源コンセント１７、無線充電モジュール１８およびコンセント１３７などは、必要に基づき、座体１１の適した位置を選択して嵌設することができ、本実施例に制限されない。
【００２０】
上記をまとめると、本文で開示した実施例は本考案を説明するものと見なすべきであり、本考案を制限するものではない。本考案の範囲は後に添付する実用新案登録請求の範囲により画定するべきであり、その合法的な均等物を包含し、前の記載に制限されない。
【符号の説明】
【００２１】
１  インテリジェント椅子
１１  座体
１１１  座面
１１２  背もたれ
１１３  肘掛け
１１４  椅子の脚
１３  電源供給器
１３１  電圧検出ユニット
１３２  電圧調整ユニット
１３３  制御ユニット
１３４  伝送線
１３５  電源コード
１３６  プラグ
１３７  コンセント
１３７１  回路基板
１３７２  ポート
１４  負荷信号
１５  電源保存ユニット
１６  直流電源コンセント
１７  交流電源コンセント
１８  無線充電モジュール
２  負荷
【図１】
0003222993.tif 000003
【図２】
0003222993.tif 000004
【図３】
0003222993.tif 000005
【手続補正書】
【提出日】令和1年7月12日(2019.7.12)
【手続補正１】
【補正対象書類名】実用新案登録請求の範囲
【補正対象項目名】全文
【補正方法】変更
【補正の内容】
【実用新案登録請求の範囲】
【請求項１】
座体を含むインテリジェント椅子であって、該座体は該座体に取り付けられる電源供給器を含み、このうち該電源供給器は電圧検出ユニットおよび電圧調整ユニットと電気的に接続され、該電圧検出ユニットは負荷信号を検出し、該電圧調整ユニットが該負荷信号に基づいて直流電圧を調整して出力し；該インテリジェント椅子は該電源供給器と連結する少なくとも１つのコンセントをさらに含み、該座体は座面と、該座面と接続する背もたれと、該座面と接続する２つの肘掛けとを含み、該コンセントは該座面、該背もたれまたは２つのうち１つの該肘掛け内に選択的に設置され、該コンセントは回路基板と、該回路基板と電気的に接続する複数のポートとを含むインテリジェント椅子。
【請求項２】
該電源供給器内に、該電圧検出ユニットおよび該電圧調整ユニットとそれぞれ接続する制御ユニットをさらに含み、該制御ユニットは該負荷信号を識別して、該電圧調整ユニットが必要な該直流電圧を出力するように制御する、請求項１に記載のインテリジェント椅子。
【請求項３】
該コンセントがコネクタコンセントである、請求項１に記載のインテリジェント椅子。
【請求項４】
該座体は該電源供給器に電力を提供する電源保存ユニットをさらに含み、該電源保存ユニットは該座体の底面に選択的に設置され、該電源保存ユニットはリチウム電池、蓄電池またはリチウムイオン電池である、請求項１に記載のインテリジェント椅子。
【請求項５】
該直流電圧が５ボルト以上である、請求項１に記載のインテリジェント椅子。
【請求項６】
該座体は、該電源供給器と外部接続する伝送線および電源コードをさらに含み、該伝送線の一端はさらにプラグと接続される、請求項１に記載のインテリジェント椅子。
【請求項７】
該プラグがコネクタプラグである、請求項６に記載のインテリジェント椅子。
【請求項８】
該座面に少なくとも１つの椅子の脚がさらに接続され、該椅子の脚は該座面の底面を支持して接続される、請求項１に記載のインテリジェント椅子。
【請求項９】
該電源供給器と電気的に接続する少なくとも１つの直流電源コンセントおよび少なくとも１つの交流電源コンセントをさらに含み、該直流電源コンセントおよび該交流電源コンセントは該椅子の脚の表面に同列に並べるか、または分離して嵌設される、請求項８に記載のインテリジェント椅子。
【請求項１０】
該電源供給器と電気的に接続する無線充電モジュールをさらに含み、該無線充電モジュールは該座面に嵌設される、請求項１に記載のインテリジェント椅子。